(57)【要約】【課題】薬剤を洗浄水に混入させずに薬剤をそのままの濃度で吐出させることが可能な吐水装置を提供する。【解決手段】洗浄水を供給する給水路１１と、給水路１１に合流する薬剤供給路１９と、薬剤供給路１９に接続され、薬剤供給路１９に薬剤を供給可能な可撓性を有する薬剤タンク９０と、給水路１１の下流に設けられる吐水部４と、を備えた吐水装置である。給水路１１には、薬剤供給路１９が合流する部分よりも上流側の位置に、流路を開閉する開閉弁８０が設けられる。開閉弁８０が閉状態でも給水路１１では薬剤が流通可能であり吐水部４からの薬剤の吐出が可能とされている。【選択図】図１
2015169044.tif 000002
【特許請求の範囲】
【請求項１】
洗浄水を供給する給水路と、前記給水路に合流する薬剤供給路と、前記薬剤供給路に接続され、前記薬剤供給路に薬剤を供給可能な可撓性を有する薬剤タンクと、前記給水路の下流に設けられる吐水部と、を備え、
前記給水路には、前記薬剤供給路が合流する部分よりも上流側の位置に、流路を開閉する開閉弁が設けられ、前記開閉弁が閉状態でも前記給水路では薬剤が流通可能であり前記吐水部からの薬剤の吐出が可能とされていることを特徴とする吐水装置。
【請求項２】
さらに、洗浄水中に気泡を含有させる気泡混入部を備えることを特徴とする請求項１に記載の吐水装置。
【請求項３】
前記薬剤タンクは、着脱自在とされていることを特徴とする請求項１又は２に記載の吐水装置。
【請求項４】
前記給水路、前記薬剤供給路、前記薬剤タンク及び前記吐水部をシャワーヘッドに備えたシャワー装置として構成されることを特徴とする請求項１から３のいずれか一項に記載の吐水装置。
【発明の詳細な説明】
【技術分野】
【０００１】
本発明は、吐水装置に関する。
【背景技術】
【０００２】
吐水装置として特許文献１では次のとおりのシャワー装置が提案されている。すなわち、特許文献１記載のシャワー装置は、シャワー用水（洗浄水）の流れる給水路に気体を混入させる気体混入部を有し、この気体混入部でシャワー用水の気体を微細化させて、給水路出口の吐水部から吐水されるシャワー水に微細気泡を含ませる微細気泡発生装置を備える。シャワー装置は、保湿剤などの有用剤（薬剤）をシャワー用水に添加して混入させる有用剤混入部を給水路に設けている。
【先行技術文献】
【特許文献】
【０００３】
【特許文献１】特開２００８−２３７６０１号公報
【発明の概要】
【発明が解決しようとする課題】
【０００４】
上記のシャワー装置は、有用剤混入部より有用剤をシャワー水に混入しているので、シャワー用水に混入した有用剤の剤成分の効果と微細気泡の効果とを相乗させることができる。一方、有用剤のシャワー水への混入により有用剤の剤成分の濃度が薄まることから、有用剤をシャワー用水に混入させずに有用剤をそのままの濃度で使用することも望まれている。
【０００５】
本発明は、以上のとおりの事情に鑑みてなされたものであり、薬剤を洗浄水に混入させずに薬剤をそのままの濃度で吐出させることが可能な吐水装置を提供することを課題としている。
【課題を解決するための手段】
【０００６】
上記の課題を解決するために、本発明の吐水装置は、洗浄水を供給する給水路と、前記給水路に合流する薬剤供給路と、前記薬剤供給路に接続され、前記薬剤供給路に薬剤を供給可能な可撓性を有する薬剤タンクと、前記給水路の下流に設けられる吐水部と、を備え、前記給水路には、前記薬剤供給路が合流する部分よりも上流側の位置に、流路を開閉する開閉弁が設けられ、前記開閉弁が閉状態でも前記給水路では薬剤が流通可能であり前記吐水部からの薬剤の吐出が可能とされていることを特徴とする。
【０００７】
この吐水装置においては、さらに、洗浄水中に気泡を含有させる気泡混入部を備えることが好ましい。
【０００８】
また、この吐水装置においては、前記薬剤タンクは、着脱自在とされていることが好ましい。
【０００９】
また、この吐水装置においては、前記給水路、前記薬剤供給路、前記薬剤タンク及び前記吐水部をシャワーヘッドに備えたシャワー装置として構成されることが好ましい。
【発明の効果】
【００１０】
本発明の吐水装置によれば、薬剤を洗浄水に混入させずに薬剤をそのままの濃度で吐出させることが可能である。
【図面の簡単な説明】
【００１１】
【図１】本発明の吐水装置の一実施形態であるシャワー装置のシャワーヘッドの長さ方向の断面図であり、（ａ）は薬剤タンクを装着した状態を示し、（ｂ）は薬剤タンク未装着状態を示す。
【図２】（ａ）は図１に示したシャワーヘッドの正面側の斜視図であり、（ｂ）は（ａ）のシャワーヘッドのＡ−Ａ線断面図である。
【図３】（ａ）は図１に示したシャワーヘッドにおける開閉弁の分解斜視図であり、（ｂ）及び（ｃ）はそれぞれ開状態及び閉状態の開閉弁の要部断面図である。
【発明を実施するための形態】
【００１２】
図１は、本発明の吐水装置の一実施形態であるシャワー装置のシャワーヘッドの長さ方向の断面図であり、（ａ）は薬剤タンクを装着した状態を示し、（ｂ）は薬剤タンク未装着状態を示す。図２（ａ）は図１に示したシャワーヘッドの正面側の斜視図であり、図２（ｂ）は図２（ａ）のシャワーヘッドのＡ−Ａ線断面図である。図３（ａ）は図１に示したシャワーヘッドにおける開閉弁の分解斜視図であり、図３（ｂ）及び図３（ｃ）はそれぞれ開状態及び閉状態の開閉弁の要部断面図である。
【００１３】
本明細書において、「表面」とは、洗浄水又は薬剤を吐出する「正面側の面」を指し、「裏面」とは「背面側の面」を指す。
【００１４】
本実施形態の吐水装置は、例えばシャワー装置として構成することができる。このシャワー装置が有するシャワーヘッド１は、図１に示すように、洗浄水を供給する給水路１１と、給水路１１に合流する薬剤供給路１９とを備える。シャワーヘッド１は、また、薬剤供給路１９に接続され、薬剤供給路１９に薬剤を供給可能な可撓性を有する薬剤タンク９０と、給水路１１の下流に設けられる吐水部４とを備える。給水路１１には、薬剤供給路１９が合流する部分よりも上流側の位置に、流路を開閉する開閉弁８０が設けられる。そして、開閉弁８０が閉状態でも給水路１１では薬剤が流通可能であり吐水部４からの薬剤の吐出が可能とされている。洗浄水は、本実施形態では湯水としている。
【００１５】
具体的には、図１−図２に示すように、シャワーヘッド１は、ヘッド本体２と薬剤タンク９０とを有する。
【００１６】
ヘッド本体２は、内部に洗浄水の給水路１１及び薬剤供給路１９が形成された縦長形状の本体１０と、本体１０の長手方向の先端部の正面側に取り付け可能とされたヘッドカバー３０と、ヘッドカバー３０の裏面に取り付け可能とされた散水プレート４０とを備えている。ヘッドカバー３０と散水プレート４０が、吐水部４を構成する。吐水部４は、本体１０の給水路１１の下流側に配設される。
【００１７】
シャワーヘッド１は、正面側シャワーケース６１および背面側シャワーケース６２からなるシャワーケース６０内に、ヘッドカバー３０の表面が露出するようにヘッド本体２が収納されて構成されている。シャワーケース６０は、たとえば、硬質の樹脂などから形成可能である。
【００１８】
本体１０は、その内部に、長手方向に延び断面が円形である洗浄水の給水路１１が形成されている。給水路１１は、下流側に第１給水路１１ａ、上流側に第１給水路１１ａに連続する第２給水路１１ｂを有する。第２給水路１１ｂは、後述するが、気泡混入部３を構成する気液混合部材２０の内部に形成されている。
【００１９】
また、本体１０は、その内部に、給水路１１に合流する薬剤供給路１９が形成されている。本実施形態では、薬剤供給路１９は、第２給水路１１ｂの途中に形成されている。この薬剤供給路１９は、第１給水路１１ａの途中に形成することもできる。
【００２０】
給水路１１には、薬剤供給路１９が合流する部分よりも上流側の位置に、その流路を開閉する開閉弁８０が設けられている。より詳細には、図３に示すように、開閉弁８０は、弁体８１と、弁体８１を内部に装着して給水路１１を流れる洗浄水の流れを遮る方向に弁体８１を移動させて流路の開閉を可能にした作動部材８２と、作動部材８２を覆うカバー８４とを有して構成されている。
【００２１】
弁体８１は、本体部８１ａと、本体部８１ａの後端に設けられ、本体部８１ａと一体に形成される円柱状の被固定部８１ｂとを有する。作動部材８２は、弁体８１を内部に収納する弁体収納部材８２ａと、この弁体収納部材８２ａの後側に配置され、弁体８１の被固定部８１ｂを固定する弁体固定部材８２ｂとを有する。弁体収納部材８２ａは、筒部８３と、筒部８３の周囲に形成されたフランジ部９５とを備える。筒部８３は、その内側に、弁体８１の本体部８１ａが摺動可能に収納されている。フランジ部９５は、開閉弁８０を本体１０に安定に設置するために設けられている。すなわち、弁体８１を内部に装着し弁体固定部材８２ｂにカバー８４が被せられた作動部材８２は、本体１０に設けられた台座９６にフランジ部９５を載せるようにして本体１０に取り付けられる。作動部材８２の側方から本体１０にストッパー９４が差し込まれ、フランジ部９５はストッパー９４と台座９６との間に保持される。こうして開閉弁８０が本体１０に安定に取り付けられて固定される。
【００２２】
作動部材８２には、弁体収納部材８２ａと弁体固定部材８２ｂとの間に、弁体８１を開方向に付勢するスプリング８６が設けられている。開閉弁８０と本体１０との間には、弁体８１と当接可能なリング状のパッキン８５が設けられている。
【００２３】
開閉弁８０は次のように作動して給水路１１の流路を開閉する。開閉弁８０のカバー８４を外側から押圧してスプリング８６の付勢力に抗して弁体固定部材８２ｂを押し下げると、弁体固定部材８２ｂに固定された弁体８１が押し下げられる。押し下げられた弁体８１は、パッキン８５と当接し、給水路１１を流れる洗浄水の流れを遮る。こうして、給水路１１から吐水部４への洗浄水の供給が停止される。この状態が閉の状態である（図３（ｃ））。カバー８４への外側からの押圧を解除すると、スプリング８６の付勢力によって弁体固定部材８２ｂ及びこの弁体固定部材８２ｂに固定された弁体８１が押し上げられ、弁体８１はパッキンから離間し、給水路１１では洗浄水が流通可能になる。この状態が開の状態である（図３（ｂ））。図３（ｂ）中の矢印は、給水路１１での洗浄水の流れ方向を示している。開の状態のときは、給水路１１から吐水部４に洗浄水が供給され、吐水部４から洗浄水が吐水される。一方、閉の状態のときは、上記のとおり、給水路１１から吐水部４への洗浄水の供給が停止される。
【００２４】
本体１０の正面側には、表面１８に開口を有して第１給水路１１ａと連通する流出孔１２が設けられている。第１給水路１１ａは、本体１０の長手方向上流側に入口１３を有する。第１給水路１１ａの入口１３付近に気液混合部材２０が設けられている。
【００２５】
流出孔１２周辺の本体１０の表面１８には、表面１８から突出する支持部１４が複数形成されている。支持部１４は、円柱状の形状を有している。支持部１４は、散水プレート４０を保持する押さえ部として機能し、散水プレート４０を安定して保持可能なように、複数の支持部１４は突出高さが略均一とされている。このような本体１０は、たとえば、硬質の樹脂などから形成可能である。
【００２６】
ヘッドカバー３０は、本体１０の長手方向の先端部に対応する縦長形状を有している。ヘッドカバー３０は、板状部３１を有している。板状部３１は、その外形形状が縦長形状であり、長手方向両端部が円弧状に形成され、幅方向両端部の両辺が互いに平行に形成され、平面視略楕円状の形状を有している。板状部３１の表面３２は、曲面形状を有している。具体的には、長さ方向に凹状に反った形状を有し、幅方向に凸状に湾曲した形状を有している。板状部３１の裏面３３は、平面形状を有している。したがって、板状部３１の厚さは、表面形状に対応して異なっている。このようなヘッドカバー３０の板状部３１の表面形状は、本実施形態の形状に限らず、デザイン性の観点から、凸曲面形状、凹曲面形状、凹凸曲面形状など様々な表面形状であってよい。
【００２７】
また、板状部３１には、複数の円形の散水孔３４が、板状部３１の表裏を貫通して形成されている。このようなヘッドカバー３０は、硬質の樹脂や金属などから形成することができ、剛性を有している。
【００２８】
散水プレート４０は、ヘッドカバー３０に対応する大きさの平板部４１を有している。平板部４１は、全体にわたって均一な厚さを有している。散水プレート４０の平板部４１は均一な厚さを有しているので、散水プレート４０の設計と製造が容易となる。このような平板部４１の厚さが均一である散水プレート４０は表面形状が異なる各種のヘッドカバー３０と組み合わせて使用可能であり、シャワーヘッド１の設計と製造が容易である。
【００２９】
平板部４１の表面４２には、円筒状の形状を有する複数の散水突起４４が立設されている。散水プレート４０では、散水突起４４の先端から平板部４１の裏面４３まで貫通する吐出孔４５が形成されている。後述するが、シャワーヘッド１では、第１給水路１１ａに導入された洗浄水が各吐出孔４５を通じて散水突起４４の先端からシャワーとして噴出される。
【００３０】
散水突起４４の最大外径は、ヘッドカバー３０の散水孔３４の内径とほぼ同じ大きさとされ、かつ散水突起４４は、ヘッドカバー３０の散水孔３４の配置と同一とされている。散水突起４４は、その一つずつが、散水孔３４の各一つに挿入可能とされている。
【００３１】
吐水部４は、対応する散水孔３４が形成されている板状部３１の厚みを越える長さを有する散水突起４４を複数有している。散水突起４４は板状部３１の厚みと同程度の長さを有していてもよい。
【００３２】
散水プレート４０は、ゴムや軟質の樹脂などの弾性材料や硬質の樹脂などから形成可能である。
【００３３】
散水プレート４０は、散水突起４４の一つずつをヘッドカバー３０の散水孔３４の各一つに挿入してヘッドカバー３０の裏面３３に取り付けられる。取付状態では、散水プレート４０の平板部４１の表面４２はヘッドカバー３０の板状部３１の裏面３３に重なり合い、散水プレート４０のヘッドカバー３０への取付状態は安定に保持される。散水プレート４０が弾性材料で形成されている場合、散水プレート４０が有する弾性によって、散水プレート４０のヘッドカバー３０への取付状態はより安定に保持される。洗浄水の吐出の際に水圧が加わっても、散水プレート４０の取付位置にずれが生じるのが抑制される。散水プレート４０の取付位置にずれが生じると散水突起４４がヘッドカバー３０の散水孔３４の縁部で圧迫されて破損したり吐出孔４５が閉塞したりするおそれがある。散水プレート４０を弾性材料で形成することで、散水プレート４０の取付位置のずれ、散水突起４４の破損、吐出孔４５の閉塞などが生じるのを抑制することができ、散水突起４４から洗浄水をより安定して吐水させることができる。
【００３４】
ヘッドカバー３０は、散水プレート４０が板状部３１の裏面３３に取り付けられた状態において、本体１０の正面側に取り付けられる。その取り付けは、嵌合、ビスなどの固着具を用いた固着などによって実現可能であり、Ｏリングなどを介在させることによって水密性を高めることもできる。取付状態では、散水プレート４０の平板部４１の裏面４３が押さえ部として機能する支持部１４の先端部で押さえ付けられる。これによって、散水プレート４０の平板部４１の表面４２がヘッドカバー３０の板状部３１の裏面３３に密着し、散水プレート４０をより安定して保持することができる。こうして散水プレート４０のヘッドカバー３０への取付状態をより確実なものとすることができる。
【００３５】
取付状態では、散水プレート４０の平板部４１の裏面４３と支持部１４との当接によって、本体１０の表面１８と散水プレート４０の平板部４１の裏面４３との間に、洗浄水の流入流路１７が形成される。流入流路１７は、流出孔１２を通じて第１給水路１１ａと連通する。また、散水プレート４０の吐出孔４５は、流入流路１７と連通する。したがって、シャワーヘッド１は、第１給水路１１ａに導入された洗浄水を各吐出孔４５からシャワーとして噴出することができる。
【００３６】
シャワーヘッド１は、硬質のヘッドカバー３０と弾性を有する散水プレート４０とを組み合わせて吐水部４を構成することで、散水プレート４０の取付位置にずれが生じるのを抑制することができる。散水突起４４の破損や吐出孔４５の閉塞などの発生も抑制することができる。これによって、散水突起４４から洗浄水をより安定して吐水させることができ、皮脂などの汚れをより一層効果的に除去することができる。
【００３７】
図１（ａ）に示すように、シャワーヘッド１が有する薬剤タンク９０は、先端に薬剤吐出口９２を有するノズル９１と、着脱自在な蓋９３とを備え、内部には、保湿剤など身体ケア用の薬剤が貯蔵される。薬剤タンク９０内の薬剤の補充や薬剤の入れ替えは蓋９３を外して行えばよい。
【００３８】
本実施形態では、薬剤タンク９０は着脱自在とされている。薬剤タンク９０をヘッド本体２に装着するには、薬剤供給路１９の入口側に設けられたシャワーケース６０の開口部６３を介して薬剤供給路１９にノズル９１を差し込めばよい。これによって、薬剤タンク９０が薬剤供給路１９に接続されヘッド本体２に装着される。薬剤タンク９０を外す場合には薬剤タンク９０を薬剤供給路１９から引き抜けばよい。図１（ｂ）は薬剤タンク９０が未装着の状態のシャワーヘッド１であり、開口部６３にはカバー部材７０が取り付けられている。
【００３９】
薬剤タンク９０内部の薬剤を薬剤供給路１９に供給するには、薬剤タンク９０を軟質の樹脂など可撓性を有する部材で形成し、薬剤タンク９０の外面を外部から指で押すなどして薬剤タンク９０に圧力を加えればよい。圧力が加えられると、薬剤は所定の吐出圧力をもって薬剤吐出口９２から吐出し、薬剤供給路１９に供給される。薬剤供給路１９に供給された薬剤は、給水路１１に合流し、開閉弁８０の開閉状態に関わらず給水路１１を流通し、洗浄水と同様の流路を経て吐水部４から吐出される。
【００４０】
以上のとおりのシャワーヘッドを有する吐水装置としてのシャワー装置は、開閉弁を閉状態とすることで給水路から吐水部への洗浄水の供給を停止することができる。洗浄水の供給を停止した状態でも給水路に薬剤を流通させ薬剤を吐水部から吐出させることができるので、薬剤を洗浄水に混入させずに薬剤をそのままの濃度で吐出させることが可能である。シャワー行為の終了後あるいは終了と同時に保湿剤などの薬剤を吐水部から吐出することができる。肌が乾燥する前に薬剤を身体に塗布することができるので、肌への浸透効果及びそれに伴う薬剤の有効成分の効果をより効果的に発揮させることができる。
【００４１】
また、以上のシャワー装置は、薬剤タンクが着脱自在とされているのでメンテナンスや薬剤の補充が容易であり、取扱い性が向上する。さらにまた、以上のシャワー装置は、給水路、薬剤供給路、薬剤タンク及び吐水部をシャワーヘッドに備えているため、既設のシャワー設備に対して設置済みのシャワーヘッドを交換すればよいので、設置工事の費用を低く抑えることができる。
【００４２】
本実施形態のシャワーヘッド１においては、図１に示すように、ヘッド本体２は、洗浄水中に気泡を含有させる気泡混入部３を備えることもできる。気泡混入部３は、本体１０の第１給水路１１ａの入口１３付近に設けられる気液混合部材２０で構成され、洗浄水の導入時に減圧により吸引した気体を気泡として洗浄水中に含有させる。
【００４３】
気液混合部材２０は、その内部に、洗浄水を導入して第１給水路１１ａの入口１３に送出する、断面が円形である第２給水路１１ｂが形成されている。第２給水路１１ｂは、入口２２側に、内径が第２給水路１１ｂの長さ方向に急激に減少する加圧部２４を有し、出口２３側に、加圧部２４に連通し、出口２３に向かって内径が漸増する減圧部２５を有している。また、第２給水路１１ｂでは、出口２３が、第１給水路１１ａの入口１３と一致し、第２給水路１１ｂは第１給水路１１ａと連通している。このような気液混合部材２０は、硬質の樹脂などで形成可能である。
【００４４】
気液混合部材２０は、円筒状の気体導入管５０を有する。気体導入管５０は、第２給水路１１ｂにおける加圧部２４と減圧部２５の接続部付近において、第２給水路１１ｂに直交するように設けられている。気体導入管５０は、内部に、空気などの気体の通気路５１を有しており、通気路５１は断面が円形形状を有している。この通気路５１は、本実施形態では、薬剤供給路１９と兼用できるよう形成されている。
【００４５】
気体導入管５０は、先端に気体取込口６となる通気路５１の入口５２を有し、第２給水路１１ｂの最も近くに配置された部分に通気路５１の出口５３を有している。
【００４６】
気体取込口６の周縁の気体導入管５０の先端部には、外方に突出する笠状形状の突起５４が設けられている。突起５４は、気体導入管５０の円筒周面から径方向に突出して形成されており、断面が円形であり、気体導入管５０の先端に向かうにしたがって径が小さくなる外形形状を有している。突起５４の外側面は先端側から基端側に向かって直線的な勾配を有している。
【００４７】
シャワーヘッド１の使用に伴って正面側シャワーケース６１と背面側シャワーケース６２のケース合わせ面等から湯水や石鹸水などがシャワーケース６０内部に浸入することがある。シャワーケース６０内部に浸入した湯水や石鹸水などがヘッド本体２の外側面を伝い、気液混合部材２０の気体導入管５０の円筒周面において基端側から先端側へと向かって流れてくることがある。このようなとき、気体導入管５０の先端部には突起５４が設けられているので、気体導入管５０の円筒周面を伝う湯水や石鹸水などの流れが突起５４によって阻害される。つまり、気体導入管５０の基端側からの湯水や石鹸水などの気体取込口６への浸入が阻まれる。また、ケース合わせ面等から浸入した湯水や石鹸水などがシャワーケース６０の内側面を伝い、気体導入管５０に対向する部分から気体導入管５０に向かって滴下することもある。このようなとき、気体導入管５０の気体取込口６に直接滴下したものを除き、突起５４の外側面に滴下した湯水や石鹸水などはその突起５４の外側面が有する勾配によって気体導入管５０の基端側に落下する。つまり、気体導入管５０に対向するシャワーケース６０の内側面からの湯水や石鹸水などの気体取込口６への浸入が気体取込口６に直接滴下したものを除き阻まれる。
【００４８】
このように気体導入管５０の先端部に突起５４が設けられているので、外部から気体取込口６への湯水や石鹸水などの浸入が抑えられる。したがって、水成分中のカルシウムなどに起因する水垢や石鹸カスなどで気体吸入部７に目詰まりが生じるのを低減することができる。
【００４９】
気液混合部材２０では、第２給水路１１ｂと気体導入管５０の通気路５１の出口５３との間に、断面が円形である連通路２６が内部に形成されている。この連通路２６も気体導入管５０とともに気体吸入部７を構成する。気体導入管５０の通気路５１は、連通路２６を介して第２給水路１１ｂと連通している。
【００５０】
このような気液混合部材２０は、第２給水路１１ｂの出口２３側の端部が、本体１０の基端側に形成された凹部１５に嵌合して固定され、本体１０の基端側方に突出している。凹部１５では、本体１０と気液混合部材２０の間にＯリング１６が介設され、本体１０と気液混合部材２０の間の水密性が確保されている。
【００５１】
ヘッド本体２がシャワーケース６０内に収納された状態においてヘッド本体２とシャワーケース６０との間には、気体が流通する気体流通路５が形成されている。具体的には、ヘッド本体２の気液混合部材２０とシャワーケース６０との間の隙間が、気体流通路５となっている。気体流通路５には、シャワーヘッド１の基端側のシャワーホース接続部付近から空気などの気体が導入される。この気体流通路５に気体導入管５０の気体取込口６が臨むように、ヘッド本体２がシャワーケース６０内に配置される。本実施形態では、気体導入管５０の気体取込口６が背面側シャワーケース６２と対峙して気体流通路５に臨むように、ヘッド本体２が配置されている。
【００５２】
背面側シャワーケース６２には、気体取込口６に対向する部分に、内外に貫通する断面が円形の開口部６３が設けられている。また、開口部６３を閉塞するカバー部材７０が取り外し自在に設けられている。カバー部材７０は、たとえば、ゴムや軟質の樹脂などから形成可能である。
【００５３】
シャワーヘッド１の使用時に水成分中のカルシウムなどに起因する水垢や石鹸カスなどの異物で気体導入管５０の通気路５１や連通路２６に目詰まりが生じることがある。このようなとき気体の取り込みが阻害されるため、通気路５１や連通路２６などの気体吸入部７の清掃が必要である。本実施形態では、開口部６３が設けられているので、この開口部６３にブラシなどの掃除具をシャワーケース６０の外部から挿入し、気体取込口６に差し込んで通気路５１や連通路２６など気体吸入部７を清掃すればよい。
【００５４】
以上のとおりのシャワーヘッド１は、図１（ｂ）のような薬剤タンク９０が未装着の状態、または薬剤タンク９０のノズル９１を少し引き抜いて気体導入管５０と気体流通路５が連通した状態では、気泡を含有させた洗浄水を吐水部４から吐水することができる。以下、気泡を含有させた洗浄水を気泡含有水とも称する。シャワーヘッド１は、洗浄水が通過するシャワーホースなどの通水管と気液混合部材２０の第２給水路１１ｂの入口２２において接続される。通水管を通じて気液混合部材２０の第２給水路１１ｂ内に導入された洗浄水は、加圧部２４を通過するときに一旦加圧され、次いで減圧部２５を通過するときに減圧される。このときの減圧にともなって、気体流通路５の気体が、気体取込口６となる入口５２を通じて気体導入管５０の通気路５１内に吸引される。吸引された気体は、出口５３から連通路２６を通って第２給水路１１ｂ内に導入された洗浄水中に気泡として混入し、気泡含有水が生成される。
【００５５】
気泡含有水は、第２給水路１１ｂの出口２３から入口１３を通じて第１給水路１１ａ内に導入される。第１給水路１１ａ内に導入された洗浄水は、流出孔１２を通じて流入流路１７に導入される。最終的に、気泡含有水は、吐出孔４５から吐水させることができる。吐出孔４５から吐水される気泡含有水は、高い洗浄機能などを有している。このため、皮脂などの汚れをより一層効果的に除去し、薬剤が浸透しやすい状態に整えることができる。
【００５６】
なお、上記したような薬剤タンク９０のノズル９１を少し引き抜いて気体導入管５０と気体流通路５が連通した状態で、気泡含有水を用いて洗浄するようにすると、洗浄中は高い洗浄機能などを発揮することができる。また、洗浄が終了した後は、開閉弁を閉状態とした後、薬剤タンク９０を背面から押し込むと、薬剤タンク９０のノズル９１が薬剤供給路１９と連通すると共に、薬剤供給路１９内に薬剤を供給することができる。そのため、より短時間で吐水部４から薬剤を吐出することができ、肌が乾燥する前に薬剤を身体に塗布することができるので、肌への浸透効果及びそれに伴う薬剤の有効成分の効果をより効果的に発揮させることができる。
【００５７】
以上、実施形態に基づき本発明を説明したが、本発明は上記の実施形態に何ら限定されるものではなく、その要旨を逸脱しない範囲内において各種の変更が可能である。たとえば、上記した実施形態では、第１給水路の入口付近に気液混合部材が設けられているが、気液混合部材を設けずに、洗浄水が通過するシャワーホースなどの通水管を第１給水路の入口に接続することもできる。この場合、吐水部では気泡含有水ではなく通常の洗浄水が吐水される。また、上記した実施形態では、吐水装置としてシャワー装置について説明しているが、水栓装置に適用することもできる。さらにまた、開閉弁を電磁弁などとし、電磁弁と電気的に接続された制御部を設けて弁の開閉を制御することもできる。たとえば、洗顔やシャワー行為の終了して開閉弁を開状態から閉状態としたとき、自動的に薬剤タンク９０を加圧し、薬剤を吐水口から吐出させるように設定し、薬剤の身体へのつけ忘れを防ぐようにすることができる。
【符号の説明】
【００５８】
１  シャワーヘッド
３  気泡混入部
４  吐水部
１１  給水路
１９  薬剤供給路
８０  開閉弁
９０  薬剤タンク
【図１】
2015169044.tif 000003
【図２】
2015169044.tif 000004
【図３】
2015169044.tif 000005